(57)【要約】【課題】金封の収納部に収容されている収納物を簡単に他人に見えないようにすると共に、収納物の収納や取り出しを容易とすることができる金封を提供する。【解決手段】紙幣等を挿入する袋状の収納部２４が形成された紙製の袋体から成る金封１０において、該収納部２４の背面側から延出された延出部を所定の折目から折り曲げて形成した、前記収納部２４の開口部を開閉する蓋部１８を、前記開口部を閉じるように前記折目から折り曲げたとき、蓋部１８の端縁近傍に開口するポケット部２０が収納部２４の表面側に形成され、且つ収納部２４の開口部を閉じる蓋部１８の端縁とポケット部２０の開口端とを挟み込むように、ポケット部２０の開口部から挿入されるクリップには、金封１０の表面側に表れる部分に水引等の飾り１４が貼着されていることを特徴とする。【選択図】        図１
2004203445.tif 000002
【特許請求の範囲】
【請求項１】
表面側の中央部近傍に開口部の開口端縁が位置するように紙を折り曲げて形成された金封であって、
該開口端縁を挟み込むように、前記開口部から挿入されるクリップには、前記金封の表面側に表れる部分に水引等の飾りが貼着されていることを特徴とする金封。
【請求項２】
紙幣等を挿入する袋状の収納部が形成された紙製の袋体から成る金封において、
該収納部の背面側から延出された延出部を所定の折目から折り曲げて形成した、前記収納部の開口部を開閉する蓋部を、前記開口部を閉じるように前記折目から折り曲げたとき、前記蓋部の端縁近傍に開口するポケット部が前記収納部の表面側に形成され、
且つ前記収納部の開口部を閉じる蓋部の端縁とポケット部の開口端とを挟み込むように、前記ポケット部の開口部から挿入されるクリップには、前記金封の表面側に表れる部分に水引等の飾りが貼着されていることを特徴とする金封。
【請求項３】
クリップによってカードが挟み込まれている請求項１又は請求項２記載の金封。
【請求項４】
クリップが、木製のクリップである請求項１〜３のいずれか一項記載の金封。
【発明の詳細な説明】
【０００１】
【発明の属する技術分野】
本発明は金封に関し、更に詳細には表面側の中央部近傍に開口部の開口端縁が位置するように紙を折り曲げて形成された金封又は紙幣等を挿入する袋状の収納部が形成された紙製の袋体から成る金封に関する。
【０００２】
【従来の技術】
冠婚葬祭その他の催しの際には、一般的に、お祝い金等を金封に入れて持参する。かかる金封としては、紙を折り曲げて形成された金封が用いられている。この金封は、通常、環状に形成された水引き等の飾り物内に挿入されている。
しかし、金封内に収納物を収納したり或いは収納物を金封から取り出す際に、金封を環状の飾り物内に挿脱することは面倒である。
また、金封としては、下記に示す特許文献１に提案された、紙幣等を挿入する袋状の収納部が形成された袋体から成る金封も用いられている。
かかる金封を図７に示す。図７に示す金封は、二つ折り部材１００から構成されており、二つ折り部材１００の一方側部材１００ａの外側面に水引等の飾り１０２が貼着されている。
かかる二つ折り部材１００の見開き内側には、図８に示す様に、一方側部材１００ａの内側面に収納部１０４が形成されており、紙幣が収納された中袋１０６が挿入される。
尚、二つ折り部材１００の他方側部材１００ｂの内側には、メッセージカード１０８が取外可能に装着されている。
【０００３】
【特許文献１】
特開平７−３２９９８１号公報（特許請求の範囲、図１及び図２）
【０００４】
【発明が解決しようとする課題】
図７及び図８に示す金封は、二つ折り部材１００の一方側部材１００ａの外側面に水引等の飾り１０２が貼着されているため、紙幣が収納された中袋１０６を収納部１０４に収容した後、環状に形成された水引き等の飾り物内に金封を挿入する煩雑さを解消できる。このため、紙幣が収納された中袋１０６を金封の収納部１０４に収容することによって、金封を直ちに冠婚葬祭その他の催しに持参できる。同時に、金封の受取人も、金封の収納部１０４から中袋１０６を簡単に取り出すことができる。
しかしながら、図７及び図８に示す金封は、環状に形成された水引き等の飾り物内に金封が挿入されておらず、金封の取扱中に二つ折り部材１００が開いて収納部１０４に収容されている収容物が他人に見られ易いため、中袋１０６を用いることが必要である。
更に、金封の表側にメッセージを書きたい場合には、図７及び図８に示す金封は用いることができない。
そこで、本発明の第１の課題は、金封の表側にメッセージを書くことができ且つ水引等の飾り物の装脱が容易な金封を提供することにある。
また、本発明の第２の課題は、金封に収容されている収納物を簡単に他人に見えないようにすると共に、収納物の収納や取り出しを容易とすることができる金封を提供することにある。
【０００５】
【課題を解決するための手段】
本発明者は、前記第１の課題を解決するには、金封の表側の中央部近傍に水引等の飾りが貼着されているクリップを着脱可能に装着することが有効であると考え検討した結果、第１の本発明に到達した。
この第１の本発明は、表面側の中央部近傍に開口部の開口端縁が位置するように紙を折り曲げて形成された金封であって、該開口端縁を挟み込むように、前記開口部から挿入されるクリップには、前記金封の表面側に表れる部分に水引等の飾りが貼着されていることを特徴とする金封にある。
また、本発明者は、第２の課題を解決するには、収納部の開口部を閉じる蓋部の端縁とポケット部の開口端とをクリップで挟み込むことが有効であると考え検討した結果、第２の本発明に到達した。
この第２の発明は、紙幣等を挿入する袋状の収納部が形成された紙製の袋体から成る金封において、該収納部の背面側から延出された延出部を所定の折目から折り曲げて形成した、前記収納部の開口部を開閉する蓋部を、前記開口部を閉じるように前記折目から折り曲げたとき、前記蓋部の端縁近傍に開口するポケット部が前記収納部の表面側に形成され、且つ前記収納部の開口部を閉じる蓋部の端縁とポケット部の開口端とを挟み込むように、前記ポケット部の開口部から挿入されるクリップには、前記金封の表面側に表れる部分に水引等の飾りが貼着されていることを特徴とする金封にある。
かかる第１の本発明及び第２の本発明において、クリップによってカードを挟み込むことによって、簡単なメッセージを受取人に伝えることができる。
また、クリップを、木製のクリップとすることによって、クリップを軽くでき且つクリップに木の独特な模様を加味できる。
【０００６】
第１の本発明に係る金風によれば、金封の表面側の中央部近傍に、水引等の飾りが貼着されたクリップを着脱可能に装着できるため、金封の略中央部に水引等の飾り配置でき且つ水引等の飾りを容易に取り外すことができる。
このため、金封の表面側にメッセージを書くことができ、金封内への収納物の収納や取り出しを容易に行うこともできる。
また、第２の本発明に係る金封によれば、収納部の開口部を閉じる蓋部の端縁とポケット部の開口端とは、ポケット部の開口部から挿入されるクリップによって挟み込まれているため、クリップを外さなければ蓋部が開くことがなく、金封の取扱中に蓋部が開いて収納部に収納された収納物を他人に見られることを防止できる。
一方、クリップの着脱は容易であるため、収納部への収容物の収容及び収納部からの収納物の取り出しを容易に行うことができる。
また、クリップには水引等の飾りが貼着されており、ポケット部の開口部から挿入されるクリップは金封の正面からは水引等の飾りによって実質的に隠されている。このため、収納部の開口部を閉じる蓋部の端縁とポケット部の開口端との位置を調整することによって、金封の略中央部に水引等の飾りを配置できる。
【０００７】
【発明の実施の形態】
本発明に係る金封の一例を図１に示す。図１に示す金封１０は、紙製の本体部１２の略中央部に水引等の飾り１４が配置されていると共に、隅部にハート型のポイントデザイン１６が貼着されている。
かかる金封１０の飾り１４は、図２に示すクリップ２２の一方側部材２２ａの側面に接着剤によって貼着されている。このクリップ２２は、木製の一方側部材２２ａと他方側部材２２ｂとが、両者の先端部が金属製のバネ２２ｃによって当接されており、両者の先端部間に紙等が把持可能となっている。かかるクリップ２２は、木製であるため、軽く且つ木の独特な模様等を呈することができる。このクリップ２２は、後述する様に、本体部１２に着脱自在に取り付けられるため、飾り１４も本体部１２に着脱自在である。
【０００８】
この飾り１４が取り外された図３に示す本体部１２は、紙を折り曲げて形成されたものであり、蓋部１８を開いた状態を図４（ａ）に示す。
本体部１２の蓋部１８は、紙を折り曲げて形成された収納部２４の背面側から延出された延出部を折目２６で折り曲げて形成したものである。
更に、収納部２４の表面側には、ポケット部２０が形成されている。このポケット部２０は、収納部２４の表面側から延出された部分を折り返し、その折返部の両端部２０ａ，２０ａを接着剤によって収納部２４に接着して形成したものである。
かかるポケット部２０には、図４（ａ）の矢印Ａ側から見た図４（ｂ）に示す様に、矢印Ａ側（本体部１２の折目２６と平行の端縁の一方側）に開口部が開口されている。
このポケット部２０は、蓋部１８を収納部２４の開口部を閉じるように折目２６から折り曲げたとき、図３に示す様に、蓋部１８の端縁近傍に開口端が開口するように形成されている。
【０００９】
また、図３に示す様に、蓋部１８を折目２６から折り曲げたとき、蓋部１８はポケット部２０の上面側に位置するため、ポケット部２０の開口部から飾り１４が貼着されたクリップ２２を挿入し、その一方側部材２２ａと他方側部材２２ｂとの間に蓋部１８の端縁とポケット部２０の開口端とを挟み込むことができる。
この様に、図１に示す金封１０では、クリップ２２によって蓋部１８の端縁とポケット部２０の開口端とが挟み込まれるため、金封１０の取扱中に蓋部１８が開いて収納部２４に収容されている収納物が他人に見られることを防止できる。
一方、クリップ２２の本体部１２への装脱は容易に行うことができ、収納部２４からの収納物の取出等は容易に行うことができるため、金封１０の取扱性は良好である。
【００１０】
図３に示す本体部１２では、ポケット部２０の開口端と蓋部１８の端縁とは、本体部１２の中心軸の近傍に位置するため、蓋部１８の端縁とポケット部２０の開口端とをクリップ２２によって挟み込むと、蓋部１８の表面側に位置する一方側部材２２ａに貼着された水引等の飾り１４は、図１に示す様に、本体部１２の略中央部に位置させることができる。
かかる飾り１４は、クリップ２２の一方側部材２２ａを隠すため、水引等の飾り１４が本体部１２の略中央部に配設されたように見え、見栄えの良好な外観の金封とすることができる。
この図１〜図４に示す水引等の飾り１４が貼着されたクリップ２２によれば、蓋部１８の端縁とポケット部２０の開口端とを挟み込む際に、図５に示す様に、簡単なメッセージが書かれたカード２８を挟み込むことができる。かかるカード２８を挟み込むことによって、金封１０の目的を明示できる。
【００１１】
また、図１〜図５に示す金封１０に用いる、水引等の飾り１４が貼着されたクリップ２２は、図６に示す様に、紙を折り曲げて形成された通常の本体部３０、すなわち袋状の収納部を形成することなく紙を折り曲げて形成された本体部３０の金封１０にも用いることができる。
かかる本体部３０の表面側には、熨斗３４が貼着されていると共に、中心軸近傍に且つ中心軸に沿って開口端が形成された開口部３２が形成されている。この開口部３２の中心近傍の開口端縁が、クリップ２２によって挟み込まれている。クリップ２２は、前述した用に、その一方側部材２２ａに水引等の飾り１４が貼着されているため、水引等の飾り１４が本体部３０の略中央部に配設されたように見える。
かかるクリップ２２は、本体部３０に容易に着脱できるため、本体部３０への収納物の収納や取出を容易に行うことができる。
更に、クリップ２２を取り外して本体部３０の表側にメッセージを記載した後、クリップ２２を装着することによって、水引等の飾り１４を本体部３０に装着できる。
尚、図６に示す金封１０でも、図５に示す様に、簡単なメッセージが書かれたカード２８を挟み込むこともできる。
【００１２】
図１〜図６に示す金封に用いたクリップ２２としては、木製のものを用いたが、金属製のクリップであってもよく、プラスチック製のクリップであってもよい。
また、水引等の飾り１４が貼着されたクリップ２２は、金封以外の用途、例えばラッピング用飾りとしても用いることができる。
【００１３】
【発明の効果】
第１の本発明に係る金封によれば、金封の略中央部に水引等の飾り配置でき且つ水引等の飾りを容易に取り外すことができる。このため、金封の表面側にメッセージを書くことができ、金封内への収納物の収納や取り出しを容易に行うこともできる
また、第２の本発明に係る金封によれば、収納部の開口部を閉じる蓋部の端縁とポケット部の開口端とが、水引等の飾りが貼着されたクリップによって挟み込まれているため、金封の取扱中に蓋が開いて収納部に収容されている収納物が他人に見られることがない。このため、金封の収納部に紙幣等を直接収納でき、且つクリップを取り外すことによって収納部の収納物の取り出しも容易に行うことができる。
【図面の簡単な説明】
【図１】本発明に係る金封の一例を説明するための正面図である。
【図２】図１に示す金封に用いられているクリップを説明するための正面図である。
【図３】図１に示す金封の本体部を説明するための正面図である。
【図４】図３に示す本体部の蓋を開いた状態を説明する展開図及びその側面図である。
【図５】本発明に係る金封の他の例を説明するための正面図である。
【図６】本発明に係る金封の他の例を説明するための正面図である。
【図７】従来の金封を説明するための斜視図である。
【図８】図７に示す金封の展開図である。
【符号の説明】
１０  金封
１２，３０  本体部
１８  蓋部
２０  ポケット部
２２  クリップ
２４  収納部
２６  折目
２８  カード
３２  開口部
【図１】
2004203445.tif 000003
【図２】
2004203445.tif 000004
【図３】
2004203445.tif 000005
【図４】
2004203445.tif 000006
【図５】
2004203445.tif 000007
【図６】
2004203445.tif 000008
【図７】
2004203445.tif 000009
【図８】
2004203445.tif 000010